(57)【要約】【課題】  剥離開始部及び剥離終了部における剥離角度の変化が転写物に影響を与えないピール装置等を提供する。【解決手段】  剥離開始時にピールローラ１７が転写シート１５を持ち上げることによって生じる剥離角度変化領域３５が基板の絵柄非描画領域３７の内部に来るように剥離を行う。剥離角度変化領域３５より外側は、転写シート１５を吸着する際に剥離角度３９が変化しているため、本来はムラが発生するが、絵柄非描画領域３７には絵柄が描画されていないため、絵柄にはムラの影響が現れない。剥離終了時も同様である。【選択図】  図５
2006010762.tif 000002
【特許請求の範囲】
【請求項１】
基板上の転写シートを剥離するピール装置であって、
剥離開始部において発生する剥離角度変化領域が前記基板の絵柄非描画領域の内部にくるべく剥離を行うことを特徴とするピール装置。
【請求項２】
基板上の転写シートを剥離するピール装置であって、
剥離終了部において発生する剥離角度変化領域が前記基板の絵柄非描画領域の内部にくるべく剥離を行うことを特徴とするピール装置。
【請求項３】
基板上の転写シートを剥離する剥離方法であって、
剥離開始部において発生する剥離角度変化領域が前記基板の絵柄非描画領域の内部にくるべく剥離を行うことを特徴とする剥離方法。
【請求項４】
基板上の転写シートを剥離する剥離方法であって、
剥離終了部において発生する剥離角度変化領域が前記基板の絵柄非描画領域の内部にくるべく剥離を行うことを特徴とする剥離方法。
【発明の詳細な説明】
【技術分野】
【０００１】
本発明は、ピール装置および剥離方法に関するものである。
【背景技術】
【０００２】
液晶表示等に用いられるカラーフィルタは、ガラス基板上に転写シートを載置し、レーザ光等でガラス基板上にブラックマトリクス等の絵柄を転写してから、転写シートを剥離して形成される場合がある。（特許文献１）
【０００３】
【特許文献１】特願２００３-３９４５９８号公報
【発明の開示】
【発明が解決しようとする課題】
【０００４】
しかしながら、このような方法では、剥離開始部及び剥離終了部では、剥離角度が変化する領域が存在するため、転写物にかかる剥離力が変化し、グラデーション状のムラが発生するという問題があった。
【０００５】
本発明は、このような問題に鑑みてなされたもので、その目的は剥離角度の変化が転写物に影響を与えないピール装置等を提供することにある。
【課題を解決するための手段】
【０００６】
前述した目的を達成するために、第１の発明は、基板上の転写シートを剥離するピール装置であって、剥離開始部において発生する剥離角度変化領域が前記基板の絵柄非描画領域の内部にくるべく剥離を行うことを特徴とするピール装置である。
また、第２の発明は基板上の転写シートを剥離するピール装置であって、剥離終了部において発生する剥離角度変化領域が前記基板の絵柄非描画領域の内部にくるべく剥離を行うことを特徴とするピール装置である。
さらに、第３の発明は、基板上の転写シートを剥離する剥離方法であって、剥離開始部において発生する剥離角度変化領域が前記基板の絵柄非描画領域の内部にくるべく剥離を行うことを特徴とする剥離方法である。
また、第４の発明は、基板上の転写シートを剥離する剥離方法であって、剥離終了部において発生する剥離角度変化領域が前記基板の絵柄非描画領域の内部にくるべく剥離を行うことを特徴とする剥離方法である。
【０００７】
本発明では、剥離開始部及び剥離終了部において発生する剥離角度変化領域が、絵柄非描画領域の内部にある。
【発明の効果】
【０００８】
本発明によれば、剥離開始部及び剥離終了部において発生する剥離角度変化領域が、絵柄非描画領域の内部にあるため、剥離角度の変化によるムラが基板上の描画面には現れず、基板の品質が改善される。
【発明を実施するための最良の形態】
【０００９】
以下、図面に基づいて本発明に好適な実施形態を詳細に説明する。図１および図２は、本実施形態に係るピール装置１の構成を示すものであり、図３は図１における基板１２、転写シート１５及び補助ローラ１９のＡ方向矢視図である。
図４は図１におけるピールローラ１７近傍の詳細図である。
【００１０】
ステージ２の上面にはレール７ａ、７ｂがＸ方向に設けられており、レール７ａ、７ｂをまたぐようにしてプレート９が設けられている。プレート９はレール７ａ、７ｂ上をＸ方向に移動可能である。
【００１１】
プレート９上には吸着プレート１１が設けられ、吸着プレート１１上には基板１２が吸着されている。
【００１２】
また、ステージ２上の両端には支持板１３ａ、１３ｂが設けられており、支持板１３ａ、１３ｂの間には、後述する支持体２３を介して基板１２上の転写シート１５を巻き取るピールローラ１７が設けられ、さらに転写シート１５の剥離角度を一定にするための補助ローラ１９が設けられている。
図３に示すように補助ローラ１９は凹部２０が設けられており、基板１２上の転写シート１５が設けられた面は補助ローラ１９と直接接触しないようになっている。
【００１３】
支持板１３ａ、１３ｂの間には、後述する支持体２３を介して、巻き取った転写シート１５を搬送するためのニップローラ２１ａ、２１ｂ、２１ｃ、２１ｄ、２１ｅ、２１ｆ、２１ｇが設けられており、搬送された転写シート１５は図２に示すゴミ箱２９に廃棄される。
【００１４】
図４に示すようにピールローラ１７は支持体２３の端部に軸支されており、ピールローラ１７は軸２５を中心に図示しないモータ等により回転駆動可能となっている。支持体２３の別の端部には軸２７が設けられており、軸２７は支持板１３ａ、１３ｂに固定されている。支持体２３は軸２７を中心に回転可能となっている。
ピールローラ１７には吸引部３１が設けられており、吸引部３１は、ピールローラ１７に接続された図示しない真空ポンプ等により作動する。転写シート１５を巻き取る際には、まず吸引部３１が転写シート１５を吸着する。
また、補助ローラ１９およびニップロ−ラ２１ａも支持体２３と一体となって軸２７を中心に回転可能となっている。
【００１５】
次に、剥離する手順について説明する。図５は剥離開始時の図であり、図６は剥離終了時の図である。
【００１６】
図５に示されるように、剥離を開始する際は、Ｒ１方向に支持体２３を軸２７を中心に回転させて、ピールローラ１７の吸引部３１を転写シート１５に接触させ、ピールローラ１７が転写シート１５を吸着する。なお、吸引部３１の位置はあらかじめ最下部になるように設定してある。その後Ｒ２方向に支持体２３を回転させてピールローラ１７、補助ローラ１９、ニップローラ２１ａおよび転写シート１５を持ち上げる。
この際、剥離角度３３が変化する領域である、剥離角度変化領域３５が生じる。
【００１７】
そのため、剥離を開始する際は、剥離角度変化領域３５が基板の絵柄非描画領域３７の内部に来るように剥離を行う。
剥離角度変化領域３５は剥離の開始するときに生じる剥離角度の変化する領域であり、剥離角度変化領域３５の大きさはピール装置の条件により、決まっている。なお、補助ローラを用いない場合、剥離角度変化領域３５の大きさはピール装置の条件では決まらないため、描画する絵柄に合わせて剥離角度の変化する領域が絵柄内に入らないように調整を行なう。
絵柄非描画領域３７とは基板１２の端部から所定の距離にある領域であり、基板１２上の転写シート１５にレーザ光が照射されず、基板１２に絵柄が描画されていない領域である。
【００１８】
即ち、基板１２の転写シート１５にはレーザ光を照射しない絵柄非描画領域３７をあらかじめ設けておき、絵柄非描画領域３７の内部に剥離角度変化領域３５が入るように絵柄非描画領域３７の大きさを決める。
剥離角度変化領域３５は、転写シート１５を吸着する際に剥離角度３３が変化している領域であるため、ムラが発生するが、絵柄非描画領域３７には絵柄が描画されていないため、ムラの影響はない。
【００１９】
その後、剥離角度３３を一定に保ったまま、基板１２をＢ方向に移動させつつ、ピールローラ１７をＲ３方向に回転し、転写シート１５の巻き取りを開始する。剥離角度３３を一定に保ったまま剥離を行っている間は、基板１２に転写される絵柄にはムラは発生しない。
【００２０】
図６に示すように、剥離が進行し、基板１２端部近傍までピールローラ１７が達すると、剥離を終了する。
この際、剥離角度３９が変化する領域である、剥離角度変化領域４１が生じる。
【００２１】
そのため、剥離を終了する際には、剥離角度変化領域４１が基板の絵柄非描画領域４３の内部に来るようにする。
剥離角度変化領域４１は剥離が終了するときに生じる剥離角度の変化する領域であり、剥離角度変化領域４１の大きさはピール装置の条件により、決まっている。
絵柄非描画領域４３とは、絵柄非描画領域３７と同様に、基板１２の端部から所定の距離にある領域であり、基板１２上の転写シート１５にレーザ光が照射されず、基板１２に絵柄が描画されていない領域である。
【００２２】
即ち、基板１２の転写シート１５にはレーザ光を照射しない絵柄非描画領域４３をあらかじめ設けておき、絵柄非描画領域４３の内部に剥離角度変化領域４１が入るように絵柄非描画領域４３の大きさを決める。
剥離角度変化領域４１は、転写シート１５を持ち上げる際に剥離角度３９が変化している領域であるため、ムラが発生するが、絵柄非描画領域４３には絵柄が描画されていないため、ムラの影響はない。
【００２３】
このように、本実施の形態によれば、剥離開始部及び剥離終了部において発生する剥離角度変化領域が、絵柄非描画領域の内部にあるため、剥離角度の変化によるムラが基板上の描画面には現れない。
従って、基板の品質が改善される。
【００２４】
以上、添付図面を参照しながら、本発明の実施形態を説明したが、本発明の技術的範囲は前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００２５】
例えば、本実施形態では円筒状の補助ローラ１９を用いているが、図７に示すような板状のブレード４５を用いてもよい。
また、本実施形態では、吸引部３１を有するピールローラ１７を用いて、転写シート１５を吸着し、持ち上げて剥離を行っているが、チャック装置等を用いて転写シート１５を持ち上げて剥離を行ってもよい。
【図面の簡単な説明】
【００２６】
【図１】ピール装置１の構成図
【図２】ピール装置１の構成図
【図３】図１における基板１２、転写シート１５及び補助ローラ１９のＡ方向矢視図
【図４】図１におけるピールローラ１７近傍の詳細図
【図５】剥離開始時の図
【図６】剥離終了時の図
【図７】ピール装置１の変形例
【符号の説明】
【００２７】
１…………ピール装置
２…………ステージ
１１………基板
１７………ピールローラ
１９………補助ローラ
２１ａ……ニップローラ
２３………支持体
３１………吸引部
３３………剥離角度
３５………剥離角度変化領域
３７………絵柄非描画領域
３９………剥離角度
４１………剥離角度変化領域
４３………絵柄非描画領域
４５………ブレード
【図１】
2006010762.tif 000003
【図２】
2006010762.tif 000004
【図３】
2006010762.tif 000005
【図４】
2006010762.tif 000006
【図５】
2006010762.tif 000007
【図６】
2006010762.tif 000008
【図７】
2006010762.tif 000009